(57)【要約】【課題】  構成を簡易なものとすることができ、組付作業における作業時間の短縮化を図ることができる照明器具を提供する。【解決手段】  照明器具を構成するハウジング１１の両短側壁の内面には各一対のソケット１７が対向して配設され、ビス１８によりそれぞれ固定されている。また、ハウジング１１には反射材１５が内装されている。当該反射材１５の両側縁には、薄板状をなす取付部１６が各一対ずつ突設されている。これら取付部１６は、ハウジング１１の内面とソケット１７との間に介装されており、ビス１８によりソケット１７がハウジング１１に固定されるとき、ソケット１７とともにハウジング１１に固定される。【選択図】        図１
2007276783.tif 000002
【特許請求の範囲】
【請求項１】
一方向に開口する箱状又は筒状をなすハウジングと、同ハウジングに内装された光源とを備え、該ハウジングの内部には光源を支持するソケトと、光源の点灯時にハウジングの内方へ向かう光を開口へ反射させる反射材とを設けるとともに、当該反射材にはソケットを反射材に装着するための取付部を一体形成し、同取付部を介してソケットとともに反射材をハウジングに固定したことを特徴とする照明器具。
【請求項２】
前記取付部及びソケットには、ソケットを取付部に係止するための係止構造を設けたことを特徴とする請求項１に記載の照明器具。
【請求項３】
前記係止構造を、ソケットに形成された複数の係合凸部と、取付部に形成され、該係合凸部を係合可能とする複数の係止孔とから構成し、各係合凸部をそれぞれ係止孔に係合させることにより、取付部に対してソケットを位置決めした状態で係止したことを特徴とする請求項２に記載の照明器具。
【発明の詳細な説明】
【技術分野】
【０００１】
本発明は、例えば車両用照明器具、家庭用照明器具、照明看板等のような照明器具に関するものである。
【背景技術】
【０００２】
従来、上記のような照明器具としては、例えば図７（ａ），（ｂ）に示すものが挙げられる。すなわち、照明器具を構成するハウジング９１は箱状をなし、その内側面には一対のソケット９２がそれぞれ取付枠９４を介してビス９３により対向して取付けられている。この取付枠９４は、平面視コ字状をなす基部９５と、同基部９５の両端からそれぞれ横方向へ延設された平面視横Ｌ字状又は逆Ｌ字状をなす一対の腕部９６とで形成されている。
【０００３】
前記ソケット９２は、取付枠９４の基部９５内に収容されることによって取付枠９４に装着されている。そして、基部９５に設けられた挿通孔９５ａにハウジング９１の外部から挿入されたビス９３が挿通され、締め付けられることにより、ソケット９２がハウジング９１に固定されるようになっている。つまり、同ビス９３によってソケット９２及び取付枠９４の両部材が共締めされ、固定されるようになっている。
【０００４】
また、取付枠９４には断面略円弧状をなす反射材９７が取付けられている。すなわち、取付枠９４の腕部９６の先端部において、その内面上端には係止爪９６ａが突設されている。前記反射材９７は、外力を加え、内方に若干撓ませた状態で両腕部９６の間に挿入した後、その弾性で元の形状へ復帰させることにより、各コーナ部が係止爪９６ａに係止され、取付枠９４に取付けられるようになっている。そして、両ソケット９２の間に光源としての図示しない蛍光灯が電気的に接続され、同蛍光灯が点灯されることにより、蛍光灯からの直射光及び反射材９７からの反射光で対象物が照らされるようになっている。
【発明の開示】
【発明が解決しようとする課題】
【０００５】
ところが、上記従来の照明器具は、それぞれ独立した部材としてハウジング９１、ソケット９２、取付枠９４及び反射材９７を備えており、その構成上、組付作業には少なくとも４つの工程を必要としていた。つまり、１．ソケット９２の取付枠９４への装着、２．ソケット９２及び取付枠９４のハウジング９１への固定、３．取付枠９４への反射材９７の取付け、４．ソケット９２への蛍光灯の取付け、の４つの工程である。従って、これら４つの工程を省略することが不可能であるため、組付作業に必要とする作業時間の短縮化を図りにくいという問題があった。そして、より短時間で大量の製品を製造するためには、構成の簡易化が必要とされていた。
【０００６】
この発明は、このような従来技術に存在する問題点に着目してなされたものである。その目的とするところは、構成を簡易なものとすることができ、組付作業における作業時間の短縮化を図ることができる照明器具を提供することにある。
【課題を解決するための手段】
【０００７】
上記の目的を達成するために、請求項１に記載の照明器具の発明は、一方向に開口する箱状又は筒状をなすハウジングと、同ハウジングに内装された光源とを備え、該ハウジングの内部には光源を支持するソケットと、光源の点灯時にハウジングの内方へ向かう光を開口へ反射させる反射材とを設けるとともに、当該反射材にはソケットを反射材に装着するための取付部を一体形成し、同取付部を介してソケットとともに反射材をハウジングに固定したことを特徴とするものである。
【０００８】
請求項２に記載の照明器具の発明は、請求項１に記載の発明において、前記取付部及びソケットには、ソケットを取付部に係止するための係止構造を設けたことを特徴とするものである。
【０００９】
請求項３に記載の照明器具の発明は、請求項２に記載の発明において、前記係止構造を、ソケットに形成された複数の係合凸部と、取付部に形成され、該係合凸部を係合可能とする複数の係止孔とから構成し、各係合凸部をそれぞれ係止孔に係合させることにより、取付部に対してソケットを位置決めした状態で係止したことを特徴とするものである。
【発明の効果】
【００１０】
以上詳述したように、この発明によれば、次のような効果を奏する。
請求項１に記載の発明によれば、構成を簡易なものとすることができ、組付作業における作業時間の短縮化を図ることができる。
【００１１】
請求項２に記載の発明によれば、請求項１に記載の発明の効果に加えて、取付部にソケットを装着した状態のまま反射材をハウジングに取付けることができ、組付作業における作業時間のさらなる短縮化を図ることができる。
【００１２】
請求項３に記載の発明によれば、請求項２に記載の発明の効果に加えて、組付作業時等において、取付部上でソケットが位置ずれすることを防止することができる。
【発明を実施するための最良の形態】
【００１３】
以下、本発明を貨物運搬用車両の照明器具に具体化した一実施形態を図面に基づいて説明する。この貨物運搬用車両とは、車両内部に貨物を収容するための荷室が形成された車両である。照明器具は、貨物運搬用車両の荷室の天面又は側面に取付けられ、同荷室内の貨物を明るく照らすために使用される。
【００１４】
図１及び図２に示すように、照明器具を構成するハウジング１１は、上方に開口する浅底の有底長四角箱状に形成されている。ハウジング１１の両短側壁の内面には各一対のソケット１７が対向して配設され、ハウジング１１の外部から螺入されたビス１８により、ハウジング１１の内部にそれぞれ固定されている。なお、各ソケット１７は、合成樹脂により形成されるとともに、光源を電気的に接続するための図示しない電極が内装されている。
【００１５】
そして、各一対のソケット１７に光源である直管型の蛍光灯１９の両端部がそれぞれ着脱可能に装着されることにより、両ソケット１７の間に蛍光灯１９が支持され、一対の蛍光灯１９がハウジング１１に内装されている。これら一対の蛍光灯１９は、その両端がソケット１７に電気的に接続されており、当該ソケット１７からの給電により点灯する。また、ハウジング１１内にはインバータ回路等のような光源である蛍光灯１９を点灯させるために必要な電子部品２０が収容されている。
【００１６】
ハウジング１１の内部において、ハウジング１１の内底面と蛍光灯１９との間には反射材１５が配設されている。図１及び図５に示すように、同反射材１５は、表面に鏡面処理が施された平面長方形状をなす一枚の金属薄板をその短手方向で湾曲させることにより、ハウジング１１の開口側となる内面が凹面状となるように形成されている。つまり、同反射材１５は、凹面鏡としての機能を有し、その略焦点位置に蛍光灯１９が位置するようにハウジング１１の内奥に配設されている。そして、反射材１５は、蛍光灯１９の点灯時にハウジング１１の内方へ散乱する光２３を反射光２３ａとして開口へ収束させながら反射するため、蛍光灯１９、反射材１５等の反射光２３ａへの干渉による影の形成が防止される。また、この実施形態では蛍光灯１９が一対設けられており、一対の蛍光灯１９が略焦点位置にそれぞれ位置するように、反射材１５は、一対の凹面が連なった形状である断面略Ｗ字状に形成されている。
【００１７】
図１に示すように、当該反射材１５の両側縁には、薄板状をなす取付部１６が各一対ずつ反射材１５の長手方向と直交する方向（図１中で上方向）へ突設されている。同取付部１６は、反射材１５を形成する金属薄板の側縁からその長手方向へ延設された舌片を長手方向と直交する方向へ折り曲げることにより、反射材１５と一体形成されている。この取付部１６には、その上端縁と中央部に係止構造を構成する一対の係止孔１６ａが形成されている。これら係止孔１６ａと対応して前記ソケット１７の背面には係止構造を構成する一対の係合凸部１７ａが突設されている。そして、各係止孔１６ａに係合凸部１７ａをそれぞれ挿入して係合させることにより、反射材１５の取付部１６にソケット１７が位置決め状態で係止される。
【００１８】
図３に示すように、ソケット１７に設けられた一対の係合凸部１７ａのうち、下方に設けられた一方は、円筒状に形成され、その内部がビス孔１７ｂとされている。当該ソケット１７が反射材１５の取付部１６に係止された状態で、同ソケット１７のビス孔１７ｂにハウジング１１の外部からビス１８を螺入することにより、前記取付部１６がソケット１７とハウジング１１との間に介装されている。すなわち、ビス１８により、取付部１６はハウジング１１に対してソケット１７とともに共締めされており、同取付部１６を介して反射材１５がソケット１７とともにハウジング１１に固定されている。また、一対の係止孔１６ａのうち、取付部１６の上端縁に設けられた一方は、上方に開口する半円状に形成されている。従って、一方の係止孔１６ａにこれと対応するソケット１７の一方の係合凸部１７ａを引っ掛けるようにして、他方の係止孔１６ａにソケット１７の他方の係合凸部１７ａを挿入することにより、ソケット１７を取付部１６に容易に係止することができるように構成されている。
【００１９】
図２に示すように、前記ハウジング１１の外周縁にはフランジ部１２が水平方向に突設されている。フランジ部１２上において、ハウジング１１の開口周縁部には取着凹部１３が凹設され、この取着凹部１３内には長四角板状をなすグローブ１４が収容される。取着凹部１３の内底面には複数のねじ孔１３ａが透設され、これらねじ孔１３ａと対応する位置となるようにグローブ１４には複数の取付孔１４ａが透設されている。そして、ねじ孔１３ａに取付孔１４ａを位置合わせした状態で、取付孔１４ａを介してねじ孔１３ａに図示しないねじを螺入することにより、ハウジング１１のフランジ部１２にグローブ１４が着脱可能に取着される。
【００２０】
図４（ａ），（ｂ）に示すように、グローブ１４は、透明又は半透明な合成樹脂、あるいはガラスによって長四角板状に形成され、光透過性を有している。このグローブ１４の蛍光灯１９側の面を内面とし、これと反対側の面を外面とする場合、グローブ１４の外面は平坦面となるように形成されている。そして、グローブ１４の一対の蛍光灯１９と対応する位置にはフレネルレンズ２１が設けられるとともに、同フレネルレンズ２１を除く箇所にはプリズムレンズ２２が設けられている。
【００２１】
図４（ｂ）及び図６に示すように、フレネルレンズ２１は、グローブ１４の内面にフレネルレンズカットを施すことによって形成されている。このフレネルレンズカットは、グローブ１４の内面に直交する垂直面と、同垂直面に対して傾斜した平坦な傾斜面とを備える断面直角三角形状をなす複数のエレメント２１ａをグローブ１４の長手方向へ延びるように形成することによって施されている。
【００２２】
これらエレメント２１ａの傾斜面は、凸面の一部を構成するものである。つまり、すべてのエレメント２１ａの傾斜面のみを連続させた面を想定した場合、その想定面はグローブ１４の内面側へ膨らむ凸面となる。従って、フレネルレンズ２１は凸面レンズとしての機能を備えており、光収束性を有している。すなわち、フレネルレンズ２１は、その略焦点位置に一対の蛍光灯１９がそれぞれ位置するように配設されているため、蛍光灯１９から拡がる直射光２４は、フレネルレンズ２１を透過した後、平行光線２４ａとして外部に収束された状態で放射される。この実施形態では蛍光灯１９が一対設けられているため、これに対応してフレネルレンズ２１は一対の凸面を有するようにフレネルレンズカットが施されて形成されている。
【００２３】
また、プリズムレンズ２２は、グローブ１４の内面に複数の四角錐状の凹部２２ａを凹設するプリズムレンズカットを施すことによって形成されている。同プリズムレンズ２２は光散乱性を有しており、このプリズムレンズ２２を透過した光は外部に散乱れる。なお、図４（ｂ）中ではプリズムレンズ２２を構成する凹部２２ａが一部のみ描かれているが、同凹部２２ａは、フレネルレンズ２１を除くグローブ１４のほぼ全体に形成されている。
【００２４】
次に、前記照明器具の作用について以下に記載する。
さて、当該照明器具の製造時において、その組付作業を行うときには、まず、図１に示したように、第１の工程として、反射材１５の取付部１６にソケット１７が位置決め状態で係止され、装着される。この第１の工程は、取付部１６の上方に設けられた一方の係止孔１６ａにソケット１７の一方の係合凸部１７ａが引っ掛けられ、このまま、他方の係止孔１６ａに他方の係合凸部１７ａが挿入されることにより行われる。
【００２５】
この後、第２の工程として、ソケット１７が装着された反射材１５がハウジング１１の内部に収容され、同ハウジング１１の外部からビス１８がソケット１７のビス孔１７ｂに螺入されることにより、ソケット１７及び反射材１５がハウジング１１に固定される。そして、第３の工程として、一対のソケット１７の間に蛍光灯１９が装着される。すなわち、当該照明器具の組付作業は主に３つの工程で終了する。従って、組付作業における作業時間が短縮化される。
【００２６】
組付作業が終了した照明器具は、貨物運搬用車両の荷室の天面又は側面に取付けられ、ハウジング１１の開口を塞ぐようにグローブ１４が装着されて使用される。この使用時において蛍光灯１９が点灯すると、図５に示したように、蛍光灯１９の周囲３６０゜方向に拡がる光のうち、ハウジング１１の内方へ拡がる光２３は、反射材１５により反射光２３ａとしてハウジング１１の開口へ収束するように反射される。
【００２７】
ハウジング１１の開口においては、図６に示したように、まず蛍光灯１９からの直射光２４の大半がフレネルレンズ２１を透過し、平行光線２４ａとして収束された状態で放射される。これに加え、前記反射光２３ａのうち、フレネルレンズ２１を透過したものも、直射光２４と同様に平行光線２４ａとして収束された状態で放射される。従って、フレネルレンズ２１を透過した透過光の照度が向上するとともに、同透過光が平行光線２４ａであるため、対象物である荷室内の貨物が明るく均等に照らされる。
【００２８】
また、直射光２４及び反射光２３ａのうち、グローブ１４のプリズムレンズ２２を透過したものは、拡散された状態で放射される。つまり、フレネルレンズ２１からの透過光が照射された対象物の周囲も、プリズムレンズ２２からの散乱光により広い範囲で照らされる。そして、グローブ１４のフレネルレンズ２１及びプリズムレンズ２２を透過した光により、荷室の内部全体が照らされる。特に、フレネルレンズ２１からの透過光は収束されているため照度が高く、同透過光によって照らされた貨物をはっきりと識別することが可能となる。
【００２９】
前記の実施形態によって発揮される効果について、以下に記載する。
・  実施形態の照明器具によれば、反射材１５に取付部１６を一体形成し、同取付部１６をソケット１７とハウジング１１との間に介装させることにより、反射材１５がソケット１７とともにハウジング１１に固定されるように構成されている。この取付部１６は反射材１５に一体形成されているため、従来例と比較した場合、照明器具の部品点数は減少している。従って、構成を簡易なものとすることができる。加えて、従来例と比較した場合、ハウジング１１にソケット１７を固定する工程と、反射材１５を取付ける工程とを１つの工程で行うことができ、組付作業における作業時間の短縮化を図ることができる。
【００３０】
・  また、ソケット１７及び取付部１６には、ソケット１７を取付部１６に係止するための係止構造として、係合凸部１７ａ及び係止孔１６ａがそれぞれ設けられている。このため、取付部１６にソケット１７を装着した状態のまま反射材１５をハウジング１１に取付けることができる。従って、組付作業における作業時間のさらなる短縮化を図ることができる。これに加え、合成樹脂製のソケット１７に係合凸部１７ａを設け、金属製の取付部１６に係止孔１６ａを形成したことから、係止構造を容易に設けることができる。
【００３１】
・  また、反射材１５は、その内面が凹面状に形成され、同凹面の略焦点位置に蛍光灯１９が位置するようにハウジング１１の内奥に配設されている。従って、蛍光灯１９からハウジング１１の内方へ拡がる光を反射光としてハウジング１１の開口へ収束させながら反射させることができ、照度の向上を図ることができる。
【００３２】
・  また、ハウジング１１の開口部には光透過性を有するグローブ１４を装着するとともに、グローブ１４の蛍光灯１９と対応する位置には光収束性を有するフレネルレンズ２１が形成されている。このフレネルレンズ２１は、ハウジング１１内の蛍光灯１９の光を収束させ、外部へ放射することができる。従って、照度のさらなる向上を図ることができる。
【００３３】
なお、本実施形態は、次のように変更して具体化することも可能である。
・  実施形態では、照明器具を貨物運搬用車両のものに具体化したが、貨物運搬用車両に限らず、例えば普通自動車、観光バス、飛行機や船舶等のような各種乗り物に取付けられる照明器具に具体化してもよい。あるいは、乗り物に限らず、建物の屋内又は屋外用照明、街路灯、卓上照明等に具体化してもよい。
【００３４】
・  実施形態では、光源には直管型の蛍光灯１９を使用したが、これに限らず、例えば丸環型の蛍光灯、電球型の蛍光灯、白熱灯、電球、発光ダイオード等を使用してもよい。また、丸環型の蛍光灯、白熱灯等のように環状又は球状の光源を用いる場合、ハウジング、反射材、ソケット、グローブ等は、光源の形状に対応させ、円盤状、筒状等の形状とすることが好ましい。
【００３５】
・  反射材１５は、反射光をハウジング１１の開口へ収束させる必要がなければ、平板状に形成してもよい。
【００３６】
・  係止構造は、必ずしもソケット１７に設けられた係合凸部１７ａと、取付部１６に設けられた係止孔１６ａとから構成する必要はなく、次のように構成してもよい。すなわち、係止構造としてソケット１７には係止凹部を凹設し、取付部１６には係止爪を突設し、同係止爪を折り曲げ、ソケット１７の係止凹部に挿入する等してソケット１７を取付部１６に係止してもよい。
【００３７】
・  あるいは、係止構造を省略して構成してもよい。但し、この場合、ソケット１７にねじ孔を設け、取付部１６には当該ねじ孔に螺入されるビス１８を挿通するための挿通孔を設ける必要がある。実施形態では、一方の係合凸部１７ａに設けられたビス孔１７ｂがソケット１７のねじ孔に相当し、一方の係止孔１６ａがビス１８を挿通するための挿通孔に相当する。
【００３８】
・  係合凸部１７ａ及び係止孔１６ａは、必ずしも複数設ける必要はなく、ソケット１７を取付部１６に位置決めして装着する必要がないのであれば、各１つずつ設けてもよい。あるいは、係合凸部１７ａ及び係止孔１６ａをそれぞれ３つ以上設けてもよい。
【００３９】
・  グローブ１４は、必ずしも必要ではなく、用途に応じて省略してもよい。
【００４０】
・  実施形態ではグローブ１４の蛍光灯１９と対応する位置にフレネルレンズ２１を設けたが、グローブ１４の全体をフレネルレンズとしてもよい。また、グローブ１４にフレネルレンズ２１のみを設け、プリズムレンズ２２を省略してもよい。
【００４１】
・  実施形態ではグローブ１４の内面にフレネルレンズカットを施したが、グローブ１４の外面にフレネルレンズカットを施してもよい。この場合には、グローブ１４の外部において、フレネルレンズの略焦点位置に光が収束するため、同焦点位置における照度を向上させることが可能となる。
【００４２】
・  ２本の蛍光灯１９をハウジング１１に内装することに限らず、１本のみ、あるいは３本以上の蛍光灯１９をハウジング１１に内装してもよい。
【００４３】
さらに、前記実施形態より把握できる技術的思想について以下に記載する。
（１）  前記係合凸部を円筒状に形成し、取付部の係止孔にソケットの係合凸部が係合された状態で、ハウジングの外部から係合凸部の内部へビスを螺入することにより、同ビスでソケット及び反射材をハウジングに共締めするように構成したことを特徴とする請求項３に記載の照明器具。このように構成した場合、少ない本数のビスでソケット及び反射材をハウジングに確実に固定することができる。
【００４４】
（２）  前記反射材を表面に鏡面処理が施された平面長方形状をなす一枚の金属板をその短手方向で断面円弧状に湾曲させ、ハウジングの開口側となる内面が凹面状となるように形成するとともに、前記取付部を同反射材を形成する金属板の側縁からその長手方向へ延設された舌片を長手方向と直交する方向へ折り曲げることによって形成したことを特徴とする請求項１から請求項３のいずれかに記載の照明器具。このように一枚の金属板を湾曲し、かつその一部を折り曲げることにより、反射材及び取付部を少ない部品点数で簡易かつ迅速に形成することができる。また、取付部が反射材の長手方向と直交する方向へ形成されることにより、凹面の略焦点位置に光源が位置するように反射材をハウジングの内奥に配設することができる。
【００４５】
（３）  前記反射材を、一対の凹面が連なった形状である断面略Ｗ字状に形成するとともに、各凹面の略焦点位置にそれぞれ光源が位置するように、一対の光源を設けたことを特徴とする（２）に記載の照明器具。このように構成した場合、反射材の干渉によって対象物上に影が形成されることを防止することができる。
【００４６】
（４）  前記ハウジングの開口を塞ぐように光透過性を有するグローブを装着するとともに、同グローブの前記光源と対応する位置には光収束性を有するフレネルレンズを形成したことを特徴とする請求項１から請求項３のいずれかに記載の照明器具。このように構成した場合、光源から光をフレネルレンズで収束させ、外部へ放射することができ、照度の向上を図ることができる。
【００４７】
（５）  前記光源からの直射光及び反射材からの反射光をフレネルレンズで収束し、同フレネルレンズを透過させた後、平行光線として外部に放射するように構成したことを特徴とする（４）に記載の照明器具。このように構成した場合、対象物を明るく均等に照らすことができる。
【００４８】
（６）  前記フレネルレンズをグローブの光源側の面である内面にフレネルレンズカットを施して形成したことを特徴とする（４）又は（５）に記載の照明器具。このように構成した場合、フレネルレンズの傷付き、損傷等のような不具合の発生を防止することができる。
【００４９】
（７）  前記フレネルレンズカットをグローブの内面に直交する垂直面と、同垂直面に対して傾斜した平坦な傾斜面とを備える断面三角形状をなす複数のエレメントから構成したことを特徴とする（６）に記載の照明器具。このように構成した場合、光源からの直射光及び反射材からの反射光をフレネルレンズで収束した後、これらの光をフレネルレンズから平行光線として外部に放射することができる。
【００５０】
（８）  前記グローブのフレネルレンズ以外の箇所には、プリズムレンズカットを施して光散乱性を有するプリズムレンズを形成したことを特徴とする（４）に記載の照明器具。このように構成した場合、プリズムレンズを透過した後、外部に散乱する光で対象物以外の箇所も照らすことができる。
【図面の簡単な説明】
【００５１】
【図１】実施形態の反射材にソケットを装着する状態を示す分解斜視図。
【図２】ハウジングにグローブを取付ける状態を示す分解斜視図。
【図３】反射材がハウジングに固定された状態を示す断面図。
【図４】（ａ）はグローブの正面図、（ｂ）はグローブの背面図。
【図５】反射材により蛍光灯からの光が反射される状態を示す断面図。
【図６】フレネルレンズにより光が収束される状態を示す断面図。
【図７】（ａ）は従来の反射材が取付枠に取付けられた状態を示す斜視図、（ｂ）は従来の反射材を取付枠に取付ける状態を示す分解斜視図。
【符号の説明】
【００５２】
１１…ハウジング、１５…反射材、１６…取付部、１６ａ…係止孔、１７…ソケット、１７ａ…係合凸部、２３…光。
【図１】
2007276783.tif 000003
【図２】
2007276783.tif 000004
【図３】
2007276783.tif 000005
【図４】
2007276783.tif 000006
【図５】
2007276783.tif 000007
【図６】
2007276783.tif 000008
【図７】
2007276783.tif 000009
【手続補正書】
【提出日】平成19年8月8日(2007.8.8)
【手続補正１】
【補正対象書類名】特許請求の範囲
【補正対象項目名】全文
【補正方法】変更
【補正の内容】
【特許請求の範囲】
【請求項１】
一方向に開口する箱状又は筒状をなすハウジングと、前記ハウジングに内装された光源とを備え、該ハウジングの内部には光源を支持するソケットと、光源の点灯時に前記ハウジングの内方へ向かう光を開口へ反射させる反射材とを設け、
前記反射材には、前記ソケットと前記ハウジングとで介装することによって同反射材を同ハウジングに固定するための介装部位を備える、
ことを特徴とする照明器具。
【請求項２】
前記介装部位は、当該反射材を形成する薄板の側縁からその長手方向へ延設された部分である、
ことを特徴とする請求項１に記載の照明器具。
【請求項３】
前記介装部位は、前記反射材の両端から延設された部分から形成された舌片を突出形成し、その舌片を同反射材の長手方向と直行する方向へ折り曲げ、同舌片を前記ハウジングに取り付けるための取付部とした、
ことを特徴とする請求項１または請求項２に記載の照明器具。
【請求項４】
前記介装部位には、係止構造を構成する係止孔あるいはビスを挿通するための挿通孔としての貫通孔を設けた、
ことを特徴とする請求項１〜請求項３のいずれか１つに記載の照明装置。
【請求項５】
前記反射材を前記ハウジングと前記光源との間に配置するとともに、
平面長方形状をなす一枚の薄板をその短手方向で湾曲させることにより、前記ハウジングの開口側となる内面が凹面状となるように形成した、
ことを特徴とする請求項１〜請求項４のいずれか１つに記載の照明装置。
【請求項６】
前記反射材を、一対の凹面が連なった形状である断面略Ｗ字状に形成するとともに、各凹面の略焦点位置にそれぞれ光源が位置するように、一対の光源を設けた、
ことを特徴とする請求項５に記載の照明装置。
【請求項７】
一方向に開口する箱状又は筒状をなすハウジングと、前記ハウジングに内装された光源との間に配設される照明器具用の反射材において、
当該反射材を形成する薄板の側縁からその長手方向へ延設された部分を備える、
ことを特徴とする照明器具用の反射材。
【請求項８】
前記反射材の両端から延設された部分から形成された舌片を突出形成し、その舌片を同反射材の長手方向と直行する方向へ折り曲げ、同舌片を前記ハウジングに取り付けるための取付部とすることを特徴とする請求項７に記載の照明器具用の反射材。
【請求項９】
平面長方形状をなす一枚の薄板をその短手方向で湾曲させることにより、前記ハウジングの開口側となる内面が凹面状となるように形成した、
ことを特徴とする請求項７または請求項８に記載の照明器具用の反射材。
【請求項１０】
前記反射材の断面を一対の凹面が連なった形状である略Ｗ字状に形成する、
ことを特徴とする請求項９に記載の照明器具用の反射材。
【請求項１１】
請求項７〜請求項１０のいずれか１つに記載の反射材を形成する薄板の側縁からその長手方向へ延設された部分を、前記ハウジングと介装することによって固定するための反射材の固定部材。
【請求項１２】
前記固定部材は、光源を前記ハウジングの内部に支持するソケットからなる、
ことを特徴とする請求項１１に記載の反射材の固定部材。
【手続補正２】
【補正対象書類名】明細書
【補正対象項目名】全文
【補正方法】変更
【補正の内容】
【発明の詳細な説明】
【技術分野】
【０００１】
本発明は、例えば車両用照明器具、家庭用照明器具、照明看板等のような照明器具に関するものである。
【背景技術】
【０００２】
従来、上記のような照明器具としては、例えば図７（ａ），（ｂ）に示すものが挙げられる。すなわち、照明器具を構成するハウジング９１は箱状をなし、その内側面には一対のソケット９２がそれぞれ取付枠９４を介してビス９３により対向して取付けられている。この取付枠９４は、平面視コ字状をなす基部９５と、同基部９５の両端からそれぞれ横方向へ延設された平面視横Ｌ字状又は逆Ｌ字状をなす一対の腕部９６とで形成されている。
【０００３】
前記ソケット９２は、取付枠９４の基部９５内に収容されることによって取付枠９４に装着されている。そして、基部９５に設けられた挿通孔９５ａにハウジング９１の外部から挿入されたビス９３が挿通され、締め付けられることにより、ソケット９２がハウジング９１に固定されるようになっている。つまり、同ビス９３によってソケット９２及び取付枠９４の両部材が共締めされ、固定されるようになっている。
【０００４】
また、取付枠９４には断面略円弧状をなす反射材９７が取付けられている。すなわち、取付枠９４の腕部９６の先端部において、その内面上端には係止爪９６ａが突設されている。前記反射材９７は、外力を加え、内方に若干撓ませた状態で両腕部９６の間に挿入した後、その弾性で元の形状へ復帰させることにより、各コーナ部が係止爪９６ａに係止され、取付枠９４に取付けられるようになっている。そして、両ソケット９２の間に光源としての図示しない蛍光灯が電気的に接続され、同蛍光灯が点灯されることにより、蛍光灯からの直射光及び反射材９７からの反射光で対象物が照らされるようになっている。
【発明の開示】
【発明が解決しようとする課題】
【０００５】
ところが、上記従来の照明器具は、それぞれ独立した部材としてハウジング９１、ソケット９２、取付枠９４及び反射材９７を備えており、その構成上、組付作業には少なくとも４つの工程を必要としていた。つまり、１．ソケット９２の取付枠９４への装着、２．ソケット９２及び取付枠９４のハウジング９１への固定、３．取付枠９４への反射材９７の取付け、４．ソケット９２への蛍光灯の取付け、の４つの工程である。従って、これら４つの工程を省略することが不可能であるため、組付作業に必要とする作業時間の短縮化を図りにくいという問題があった。そして、より短時間で大量の製品を製造するためには、構成の簡易化が必要とされていた。
【０００６】
この発明は、このような従来技術に存在する問題点に着目してなされたものである。その目的とするところは、構成を簡易なものとすることができ、組付作業における作業時間の短縮化を図ることができる照明器具を提供することにある。
【課題を解決するための手段】
【０００７】
前記の目的を達成するために、本発明のうちの一態様は、
一方向に開口する箱状又は筒状をなすハウジングと、前記ハウジングに内装された光源とを備え、該ハウジングの内部には光源を支持するソケットと、光源の点灯時に前記ハウジングの内方へ向かう光を開口へ反射させる反射材とを設け、
前記反射材には、当該反射材を形成する薄板の側縁からその長手方向へ延設された部分であって、前記ソケットと前記ハウジングとで介装することによって同反射材を同ハウジングに固定するための介装部位を備える照明装置である
ことを要旨とする。
【０００８】
また、他の発明の一態様は、
一方向に開口する箱状又は筒状をなすハウジングと、前記ハウジングに内装された光源との間に配設される照明器具用の反射材において、
当該反射材を形成する薄板の側縁からその長手方向へ延設された部分を備える照明器具用の反射材であることを要旨とする。
【０００９】
また、他の発明の一態様は、
前記反射材を形成する薄板の側縁からその長手方向へ延設された部分を、前記ハウジングと介装することによって固定するための反射材の固定部材としての前記ソケットであることを要旨とする。
【発明の効果】
【００１０】
以上詳述したように、この発明によれば、次のような効果を奏する。
すなわち、前記反射材には介装部位を設け、当該介装部位を、前記ソケットと前記ハウジングによって介装して固定するような照明器具とした。
【００１１】
また、前記ソケットには、光源を支持する部材としての機能の他に、固定部材としての機能を持たせるようにした。
【００１２】
このような構成にすることによって、従来必要であった独立した部材としての反射材の取付枠（具体的には図７の符号９４）が不要となる。つまり、照明器具の構成を簡易なものとすることができ、組付作業における作業時間の短縮化を図ることができる。
【発明を実施するための最良の形態】
【００１３】
以下、本発明を貨物運搬用車両の照明器具に具体化した一実施形態を図面に基づいて説明する。この貨物運搬用車両とは、車両内部に貨物を収容するための荷室が形成された車両である。照明器具は、貨物運搬用車両の荷室の天面又は側面に取付けられ、同荷室内の貨物を明るく照らすために使用される。
【００１４】
図１及び図２に示すように、照明器具を構成するハウジング１１は、上方に開口する浅底の有底長四角箱状に形成されている。ハウジング１１の両短側壁の内面には各一対のソケット１７が対向して配設され、ハウジング１１の外部から螺入されたビス１８により、ハウジング１１の内部にそれぞれ固定されている。なお、各ソケット１７は、合成樹脂により形成されるとともに、光源を電気的に接続するための図示しない電極が内装されている。
【００１５】
そして、各一対のソケット１７に光源である直管型の蛍光灯１９の両端部がそれぞれ着脱可能に装着されることにより、両ソケット１７の間に蛍光灯１９が支持され、一対の蛍光灯１９がハウジング１１に内装されている。これら一対の蛍光灯１９は、その両端がソケット１７に電気的に接続されており、当該ソケット１７からの給電により点灯する。また、ハウジング１１内にはインバータ回路等のような光源である蛍光灯１９を点灯させるために必要な電子部品２０が収容されている。
【００１６】
ハウジング１１の内部において、ハウジング１１の内底面と蛍光灯１９との間には反射材１５が配設されている。図１及び図５に示すように、同反射材１５は、表面に鏡面処理が施された平面長方形状をなす一枚の金属薄板をその短手方向で湾曲させることにより、ハウジング１１の開口側となる内面が凹面状となるように形成されている。つまり、同反射材１５は、凹面鏡としての機能を有し、その略焦点位置に蛍光灯１９が位置するようにハウジング１１の内奥に配設されている。そして、反射材１５は、蛍光灯１９の点灯時にハウジング１１の内方へ散乱する光２３を反射光２３ａとして開口へ収束させながら反射するため、蛍光灯１９、反射材１５等の反射光２３ａへの干渉による影の形成が防止される。また、この実施形態では蛍光灯１９が一対設けられており、一対の蛍光灯１９が略焦点位置にそれぞれ位置するように、反射材１５は、一対の凹面が連なった形状である断面略Ｗ字状に形成されている。
【００１７】
図１に示すように、当該反射材１５の両側縁には、薄板状をなす取付部１６が各一対ずつ反射材１５の長手方向と直交する方向（図１中で上方向）へ突設されている。同取付部１６は、反射材１５を形成する金属薄板の側縁からその長手方向へ延設された舌片を長手方向と直交する方向へ折り曲げることにより、反射材１５と一体形成されている。この取付部１６には、その上端縁と中央部に係止構造を構成する一対の係止孔１６ａが形成されている。これら係止孔１６ａと対応して前記ソケット１７の背面には係止構造を構成する一対の係合凸部１７ａが突設されている。そして、各係止孔１６ａに係合凸部１７ａをそれぞれ挿入して係合させることにより、反射材１５の取付部１６にソケット１７が位置決め状態で係止される。
【００１８】
図３に示すように、ソケット１７に設けられた一対の係合凸部１７ａのうち、下方に設けられた一方は、円筒状に形成され、その内部がビス孔１７ｂとされている。当該ソケット１７が反射材１５の取付部１６に係止された状態で、同ソケット１７のビス孔１７ｂにハウジング１１の外部からビス１８を螺入することにより、前記取付部１６がソケット１７とハウジング１１との間に介装されている。すなわち、ビス１８により、取付部１６はハウジング１１に対してソケット１７とともに共締めされており、同取付部１６を介して反射材１５がソケット１７とともにハウジング１１に固定されている。また、一対の係止孔１６ａのうち、取付部１６の上端縁に設けられた一方は、上方に開口する半円状に形成されている。従って、一方の係止孔１６ａにこれと対応するソケット１７の一方の係合凸部１７ａを引っ掛けるようにして、他方の係止孔１６ａにソケット１７の他方の係合凸部１７ａを挿入することにより、ソケット１７を取付部１６に容易に係止することができるように構成されている。
【００１９】
図２に示すように、前記ハウジング１１の外周縁にはフランジ部１２が水平方向に突設されている。フランジ部１２上において、ハウジング１１の開口周縁部には取着凹部１３が凹設され、この取着凹部１３内には長四角板状をなすグローブ１４が収容される。取着凹部１３の内底面には複数のねじ孔１３ａが透設され、これらねじ孔１３ａと対応する位置となるようにグローブ１４には複数の取付孔１４ａが透設されている。そして、ねじ孔１３ａに取付孔１４ａを位置合わせした状態で、取付孔１４ａを介してねじ孔１３ａに図示しないねじを螺入することにより、ハウジング１１のフランジ部１２にグローブ１４が着脱可能に取着される。
【００２０】
図４（ａ），（ｂ）に示すように、グローブ１４は、透明又は半透明な合成樹脂、あるいはガラスによって長四角板状に形成され、光透過性を有している。このグローブ１４の蛍光灯１９側の面を内面とし、これと反対側の面を外面とする場合、グローブ１４の外面は平坦面となるように形成されている。そして、グローブ１４の一対の蛍光灯１９と対応する位置にはフレネルレンズ２１が設けられるとともに、同フレネルレンズ２１を除く箇所にはプリズムレンズ２２が設けられている。
【００２１】
図４（ｂ）及び図６に示すように、フレネルレンズ２１は、グローブ１４の内面にフレネルレンズカットを施すことによって形成されている。このフレネルレンズカットは、グローブ１４の内面に直交する垂直面と、同垂直面に対して傾斜した平坦な傾斜面とを備える断面直角三角形状をなす複数のエレメント２１ａをグローブ１４の長手方向へ延びるように形成することによって施されている。
【００２２】
これらエレメント２１ａの傾斜面は、凸面の一部を構成するものである。つまり、すべてのエレメント２１ａの傾斜面のみを連続させた面を想定した場合、その想定面はグローブ１４の内面側へ膨らむ凸面となる。従って、フレネルレンズ２１は凸面レンズとしての機能を備えており、光収束性を有している。すなわち、フレネルレンズ２１は、その略焦点位置に一対の蛍光灯１９がそれぞれ位置するように配設されているため、蛍光灯１９から拡がる直射光２４は、フレネルレンズ２１を透過した後、平行光線２４ａとして外部に収束された状態で放射される。この実施形態では蛍光灯１９が一対設けられているため、これに対応してフレネルレンズ２１は一対の凸面を有するようにフレネルレンズカットが施されて形成されている。
【００２３】
また、プリズムレンズ２２は、グローブ１４の内面に複数の四角錐状の凹部２２ａを凹設するプリズムレンズカットを施すことによって形成されている。同プリズムレンズ２２は光散乱性を有しており、このプリズムレンズ２２を透過した光は外部に散乱れる。なお、図４（ｂ）中ではプリズムレンズ２２を構成する凹部２２ａが一部のみ描かれているが、同凹部２２ａは、フレネルレンズ２１を除くグローブ１４のほぼ全体に形成されている。
【００２４】
次に、前記照明器具の作用について以下に記載する。
さて、当該照明器具の製造時において、その組付作業を行うときには、まず、図１に示したように、第１の工程として、反射材１５の取付部１６にソケット１７が位置決め状態で係止され、装着される。この第１の工程は、取付部１６の上方に設けられた一方の係止孔１６ａにソケット１７の一方の係合凸部１７ａが引っ掛けられ、このまま、他方の係止孔１６ａに他方の係合凸部１７ａが挿入されることにより行われる。
【００２５】
この後、第２の工程として、ソケット１７が装着された反射材１５がハウジング１１の内部に収容され、同ハウジング１１の外部からビス１８がソケット１７のビス孔１７ｂに螺入されることにより、ソケット１７及び反射材１５がハウジング１１に固定される。そして、第３の工程として、一対のソケット１７の間に蛍光灯１９が装着される。すなわち、当該照明器具の組付作業は主に３つの工程で終了する。従って、組付作業における作業時間が短縮化される。
【００２６】
組付作業が終了した照明器具は、貨物運搬用車両の荷室の天面又は側面に取付けられ、ハウジング１１の開口を塞ぐようにグローブ１４が装着されて使用される。この使用時において蛍光灯１９が点灯すると、図５に示したように、蛍光灯１９の周囲３６０゜方向に拡がる光のうち、ハウジング１１の内方へ拡がる光２３は、反射材１５により反射光２３ａとしてハウジング１１の開口へ収束するように反射される。
【００２７】
ハウジング１１の開口においては、図６に示したように、まず蛍光灯１９からの直射光２４の大半がフレネルレンズ２１を透過し、平行光線２４ａとして収束された状態で放射される。これに加え、前記反射光２３ａのうち、フレネルレンズ２１を透過したものも、直射光２４と同様に平行光線２４ａとして収束された状態で放射される。従って、フレネルレンズ２１を透過した透過光の照度が向上するとともに、同透過光が平行光線２４ａであるため、対象物である荷室内の貨物が明るく均等に照らされる。
【００２８】
また、直射光２４及び反射光２３ａのうち、グローブ１４のプリズムレンズ２２を透過したものは、拡散された状態で放射される。つまり、フレネルレンズ２１からの透過光が照射された対象物の周囲も、プリズムレンズ２２からの散乱光により広い範囲で照らされる。そして、グローブ１４のフレネルレンズ２１及びプリズムレンズ２２を透過した光により、荷室の内部全体が照らされる。特に、フレネルレンズ２１からの透過光は収束されているため照度が高く、同透過光によって照らされた貨物をはっきりと識別することが可能となる。
【００２９】
前記の実施形態によって発揮される効果について、以下に記載する。
・  実施形態の照明器具によれば、反射材１５に取付部１６を一体形成し、同取付部１６をソケット１７とハウジング１１との間に介装させることにより、反射材１５がソケット１７とともにハウジング１１に固定されるように構成されている。この取付部１６は反射材１５に一体形成されているため、従来例と比較した場合、照明器具の部品点数は減少している。従って、構成を簡易なものとすることができる。加えて、従来例と比較した場合、ハウジング１１にソケット１７を固定する工程と、反射材１５を取付ける工程とを１つの工程で行うことができ、組付作業における作業時間の短縮化を図ることができる。
【００３０】
・  また、ソケット１７及び取付部１６には、ソケット１７を取付部１６に係止するための係止構造として、係合凸部１７ａ及び係止孔１６ａがそれぞれ設けられている。このため、取付部１６にソケット１７を装着した状態のまま反射材１５をハウジング１１に取付けることができる。従って、組付作業における作業時間のさらなる短縮化を図ることができる。これに加え、合成樹脂製のソケット１７に係合凸部１７ａを設け、金属製の取付部１６に係止孔１６ａを形成したことから、係止構造を容易に設けることができる。
【００３１】
・  また、反射材１５は、その内面が凹面状に形成され、同凹面の略焦点位置に蛍光灯１９が位置するようにハウジング１１の内奥に配設されている。従って、蛍光灯１９からハウジング１１の内方へ拡がる光を反射光としてハウジング１１の開口へ収束させながら反射させることができ、照度の向上を図ることができる。
【００３２】
・  また、ハウジング１１の開口部には光透過性を有するグローブ１４を装着するとともに、グローブ１４の蛍光灯１９と対応する位置には光収束性を有するフレネルレンズ２１が形成されている。このフレネルレンズ２１は、ハウジング１１内の蛍光灯１９の光を収束させ、外部へ放射することができる。従って、照度のさらなる向上を図ることができる。
【００３３】
なお、本実施形態は、次のように変更して具体化することも可能である。
・  実施形態では、照明器具を貨物運搬用車両のものに具体化したが、貨物運搬用車両に限らず、例えば普通自動車、観光バス、飛行機や船舶等のような各種乗り物に取付けられる照明器具に具体化してもよい。あるいは、乗り物に限らず、建物の屋内又は屋外用照明、街路灯、卓上照明等に具体化してもよい。
【００３４】
・  実施形態では、光源には直管型の蛍光灯１９を使用したが、これに限らず、例えば丸環型の蛍光灯、電球型の蛍光灯、白熱灯、電球、発光ダイオード等を使用してもよい。また、丸環型の蛍光灯、白熱灯等のように環状又は球状の光源を用いる場合、ハウジング、反射材、ソケット、グローブ等は、光源の形状に対応させ、円盤状、筒状等の形状とすることが好ましい。
【００３５】
・  反射材１５は、反射光をハウジング１１の開口へ収束させる必要がなければ、平板状に形成してもよい。
【００３６】
・  係止構造は、必ずしもソケット１７に設けられた係合凸部１７ａと、取付部１６に設けられた係止孔１６ａとから構成する必要はなく、次のように構成してもよい。すなわち、係止構造としてソケット１７には係止凹部を凹設し、取付部１６には係止爪を突設し、同係止爪を折り曲げ、ソケット１７の係止凹部に挿入する等してソケット１７を取付部１６に係止してもよい。
【００３７】
・  あるいは、係止構造を省略して構成してもよい。但し、この場合、ソケット１７にねじ孔を設け、取付部１６には当該ねじ孔に螺入されるビス１８を挿通するための挿通孔を設ける必要がある。実施形態では、一方の係合凸部１７ａに設けられたビス孔１７ｂがソケット１７のねじ孔に相当し、一方の係止孔１６ａがビス１８を挿通するための挿通孔に相当する。
【００３８】
・  係合凸部１７ａ及び係止孔１６ａは、必ずしも複数設ける必要はなく、ソケット１７を取付部１６に位置決めして装着する必要がないのであれば、各１つずつ設けてもよい。あるいは、係合凸部１７ａ及び係止孔１６ａをそれぞれ３つ以上設けてもよい。
【００３９】
・  グローブ１４は、必ずしも必要ではなく、用途に応じて省略してもよい。
【００４０】
・  実施形態ではグローブ１４の蛍光灯１９と対応する位置にフレネルレンズ２１を設けたが、グローブ１４の全体をフレネルレンズとしてもよい。また、グローブ１４にフレネルレンズ２１のみを設け、プリズムレンズ２２を省略してもよい。
【００４１】
・  実施形態ではグローブ１４の内面にフレネルレンズカットを施したが、グローブ１４の外面にフレネルレンズカットを施してもよい。この場合には、グローブ１４の外部において、フレネルレンズの略焦点位置に光が収束するため、同焦点位置における照度を向上させることが可能となる。
【００４２】
・  ２本の蛍光灯１９をハウジング１１に内装することに限らず、１本のみ、あるいは３本以上の蛍光灯１９をハウジング１１に内装してもよい。
【００４３】
次に、前記実施形態より把握できる技術的思想について以下に記載する。
（Ａ）一方向に開口する箱状又は筒状をなすハウジングと、同ハウジングに内装された光源とを備え、該ハウジングの内部には光源を支持するソケットと、光源の点灯時にハウジングの内方へ向かう光を開口へ反射させる反射材とを設けるとともに、当該反射材にはソケットを反射材に装着するための取付部を一体形成し、同取付部を介してソケットとともに反射材をハウジングに固定したことを特徴とする照明器具。この構成によれば、照明装置の構成を簡易なものとすることができ、組付作業における作業時間の短縮化を図ることができる。
【００４４】
（Ｂ）前記取付部及びソケットには、ソケットを取付部に係止するための係止構造を設けたことを特徴とする前記（Ａ）に記載の照明装置。この構成によれば、前記（Ａ）に記載の構成による効果に加えて、取付部にソケットを装着した状態のまま反射材をハウジングに取付けることができ、組付作業における作業時間のさらなる短縮化を図ることができる。
【００４５】
（Ｃ）前記係止構造を、ソケットに形成された複数の係合凸部と、取付部に形成され、該係合凸部を係合可能とする複数の係止孔とから構成し、各係合凸部をそれぞれ係止孔に係合させることにより、取付部に対してソケットを位置決めした状態で係止したことを特徴とする前記（Ｂ）に記載の照明装置。この構成によれば、前記（Ｂ）に記載の構成による効果に加えて、組付作業時等において、取付部上でソケットが位置ずれすることを防止することができる。
【００４６】
（Ｄ）前記係合凸部を円筒状に形成し、取付部の係止孔にソケットの係合凸部が係合された状態で、ハウジングの外部から係合凸部の内部へビスを螺入することにより、同ビスでソケット及び反射材をハウジングに共締めするように構成したことを特徴とする前記（Ｃ）に記載の照明器具。このように構成した場合、少ない本数のビスでソケット及び反射材をハウジングに確実に固定することができる。
【００４７】
（Ｅ）前記反射材を表面に鏡面処理が施された平面長方形状をなす一枚の金属板をその短手方向で断面円弧状に湾曲させ、ハウジングの開口側となる内面が凹面状となるように形成するとともに、前記取付部を同反射材を形成する金属板の側縁からその長手方向へ延設された舌片を長手方向と直交する方向へ折り曲げることによって形成したことを特徴とする前記（Ａ），（Ｂ）及び（Ｃ）のいずれかに記載の照明器具。このように一枚の金属板を湾曲し、かつその一部を折り曲げることにより、反射材及び取付部を少ない部品点数で簡易かつ迅速に形成することができる。また、取付部が反射材の長手方向と直交する方向へ形成されることにより、凹面の略焦点位置に光源が位置するように反射材をハウジングの内奥に配設することができる。
【００４８】
（Ｆ）前記反射材を、一対の凹面が連なった形状である断面略Ｗ字状に形成するとともに、各凹面の略焦点位置にそれぞれ光源が位置するように、一対の光源を設けたことを特徴とする（Ｅ）に記載の照明器具。このように構成した場合、反射材の干渉によって対象物上に影が形成されることを防止することができる。
【００４９】
（Ｇ）前記ハウジングの開口を塞ぐように光透過性を有するグローブを装着するとともに、同グローブの前記光源と対応する位置には光収束性を有するフレネルレンズを形成したことを特徴とする前記（Ａ），（Ｂ）及び（Ｃ）のいずれかに記載の照明器具。このように構成した場合、光源から光をフレネルレンズで収束させ、外部へ放射することができ、照度の向上を図ることができる。
【００５０】
（Ｈ）前記光源からの直射光及び反射材からの反射光をフレネルレンズで収束し、同フレネルレンズを透過させた後、平行光線として外部に放射するように構成したことを特徴とする前記（Ｇ）に記載の照明器具。このように構成した場合、対象物を明るく均等に照らすことができる。
【００５１】
（Ｉ）前記フレネルレンズをグローブの光源側の面である内面にフレネルレンズカットを施して形成したことを特徴とする（Ｇ）又は（Ｈ）に記載の照明器具。このように構成した場合、フレネルレンズの傷付き、損傷等のような不具合の発生を防止することができる。
【００５２】
（Ｊ）前記フレネルレンズカットをグローブの内面に直交する垂直面と、同垂直面に対して傾斜した平坦な傾斜面とを備える断面三角形状をなす複数のエレメントから構成したことを特徴とする（Ｉ）に記載の照明器具。このように構成した場合、光源からの直射光及び反射材からの反射光をフレネルレンズで収束した後、これらの光をフレネルレンズから平行光線として外部に放射することができる。
【００５３】
（Ｋ）前記グローブのフレネルレンズ以外の箇所には、プリズムレンズカットを施して光散乱性を有するプリズムレンズを形成したことを特徴とする（Ｇ）に記載の照明器具。このように構成した場合、プリズムレンズを透過した後、外部に散乱する光で対象物以外の箇所も照らすことができる。
【００５４】
（Ｌ）一方向に開口する箱状又は筒状をなすハウジングと、前記ハウジングに内装された光源とを備え、該ハウジングの内部には光源を支持するソケットと、光源の点灯時に前記ハウジングの内方へ向かう光を開口へ反射させる反射材とを設け、
前記反射材には、前記ソケットと前記ハウジングとで介装することによって同反射材を同ハウジングに固定するための介装部位を備える、ことを特徴とする照明器具。
【００５５】
（Ｍ）前記介装部位は、当該反射材を形成する薄板の側縁からその長手方向へ延設された部分である、ことを特徴とする前記（Ｌ）に記載の照明器具。
【００５６】
（Ｎ）前記介装部位は、前記反射材の両端から延設された部分から形成された舌片を突出形成し、その舌片を同反射材の長手方向と直行する方向へ折り曲げ、同舌片を前記ハウジングに取り付けるための取付部とした、ことを特徴とする前記（Ｌ）または（Ｍ）に記載の照明器具。
【００５７】
（Ｏ）前記介装部位には、係止構造を構成する係止孔あるいはビスを挿通するための挿通孔としての貫通孔を設けた、ことを特徴とする前記（Ｌ），（Ｍ）及び（Ｎ）のいずれか１つに記載の照明装置。
【００５８】
（Ｐ）前記反射材を前記ハウジングと前記光源との間に配置するとともに、
平面長方形状をなす一枚の薄板をその短手方向で湾曲させることにより、前記ハウジングの開口側となる内面が凹面状となるように形成した、ことを特徴とする前記（Ｌ），（Ｍ）、（Ｎ）及び（Ｏ）のいずれか１つに記載の照明装置。
【００５９】
（Ｑ）前記反射材を、一対の凹面が連なった形状である断面略Ｗ字状に形成するとともに、各凹面の略焦点位置にそれぞれ光源が位置するように、一対の光源を設けた、
ことを特徴とする前記（Ｐ）に記載の照明装置。
【００６０】
（Ｒ）一方向に開口する箱状又は筒状をなすハウジングと、前記ハウジングに内装された光源との間に配設される照明器具用の反射材において、
当該反射材を形成する薄板の側縁からその長手方向へ延設された部分を備える、ことを特徴とする照明器具用の反射材。
【００６１】
（Ｓ）前記反射材の両端から延設された部分から形成された舌片を突出形成し、その舌片を同反射材の長手方向と直行する方向へ折り曲げ、同舌片を前記ハウジングに取り付けるための取付部とすることを特徴とする前記（Ｒ）に記載の照明器具用の反射材。
【００６２】
（Ｔ）平面長方形状をなす一枚の薄板をその短手方向で湾曲させることにより、前記ハウジングの開口側となる内面が凹面状となるように形成した、
ことを特徴とする前記（Ｒ）または（Ｓ）に記載の照明器具用の反射材。
【００６３】
（Ｕ）前記反射材の断面を一対の凹面が連なった形状である略Ｗ字状に形成する、
ことを特徴とする前記（Ｔ）に記載の照明器具用の反射材。
【００６４】
（Ｖ）前記（Ｒ），（Ｓ），（Ｔ）及び（Ｕ）のいずれか１つに記載の反射材を形成する薄板の側縁からその長手方向へ延設された部分を、前記ハウジングと介装することによって固定するための反射材の固定部材。
【００６５】
（Ｗ）前記固定部材は、光源を前記ハウジングの内部に支持するソケットからなる、
ことを特徴とする前記（Ｖ）に記載の反射材の固定部材。
【図面の簡単な説明】
【００６６】
【図１】実施形態の反射材にソケットを装着する状態を示す分解斜視図。
【図２】ハウジングにグローブを取付ける状態を示す分解斜視図。
【図３】反射材がハウジングに固定された状態を示す断面図。
【図４】（ａ）はグローブの正面図、（ｂ）はグローブの背面図。
【図５】反射材により蛍光灯からの光が反射される状態を示す断面図。
【図６】フレネルレンズにより光が収束される状態を示す断面図。
【図７】（ａ）は従来の反射材が取付枠に取付けられた状態を示す斜視図、（ｂ）は従来の反射材を取付枠に取付ける状態を示す分解斜視図。
【符号の説明】
【００６７】
１１…ハウジング、１５…反射材、１６…介装部位としての取付部、１６ａ…係止孔、１７…固定部材としてのソケット、１７ａ…係合凸部、２３…光。